(57)【要約】【課題】組み込み先の機器に応じて当該機器における他の無線通信への干渉を柔軟に抑制することが可能な無線通信モジュールを提供する。【解決手段】無線通信機能を備える機器に組み込むための無線通信モジュール１０１は、無線信号を第１方式により送信するための無線送信部５１と、前記機器が備えるアンテナに前記無線送信部５１を接続するための複数のアンテナ端子Ｔ１，Ｔ２と、前記第１方式と異なる第２方式による無線送信が前記機器で用いられる場合に前記無線送信部５１を接続しないアンテナ端子を示すアンテナ設定情報を取得するためのアンテナ設定取得部５３と、前記アンテナ設定取得部５３によって取得されたアンテナ設定情報に基づいて前記無線送信部５１を接続する前記アンテナ端子を選択するためのアンテナ選択部５２とを備える。【選択図】図２
2013042462.tif 000002
【特許請求の範囲】
【請求項１】
無線通信機能を備える機器に組み込むための無線通信モジュールであって、
無線信号を第１方式により送信するための無線送信部と、
前記機器が備えるアンテナに前記無線送信部を接続するための複数のアンテナ端子と、
前記第１方式と異なる第２方式による無線送信が前記機器で用いられる場合に前記無線送信部を接続しないアンテナ端子を示すアンテナ設定情報を取得するためのアンテナ設定取得部と、
前記アンテナ設定取得部によって取得されたアンテナ設定情報に基づいて前記無線送信部を接続する前記アンテナ端子を選択するためのアンテナ選択部とを備える、無線通信モジュール。
【請求項２】
前記無線通信モジュールは、さらに、
前記無線通信モジュールの外部から設定信号を受信するための設定信号受信部を備え、
前記アンテナ設定取得部は、前記設定信号から前記アンテナ設定情報を取得する、請求項１に記載の無線通信モジュール。
【請求項３】
前記無線通信モジュールは、さらに、
前記アンテナ設定情報を記憶するための記憶部を備え、
前記アンテナ設定取得部は、前記記憶部から前記アンテナ設定情報を取得する、請求項１または請求項２に記載の無線通信モジュール。
【請求項４】
前記第１方式は、ＷｉＭＡＸ（Worldwide Interoperability for Microwave Access）方式である、請求項１から請求項３のいずれか１項に記載の無線通信モジュール。
【発明の詳細な説明】
【技術分野】
【０００１】
本発明は、無線通信モジュールに関し、特に、無線通信機能を提供可能な機器に組み込むための無線通信モジュールに関する。
【背景技術】
【０００２】
ＩＥＥＥ８０２．１６規格に従うＷｉＭＡＸ（登録商標）（たとえば非特許文献１参照）、およびＩＥＥＥ８０２．１１規格に従うＷｉＦｉ（登録商標）（Wireless Fidelity）（たとえば非特許文献２参照）等による無線通信サービスが提供されている。
【先行技術文献】
【非特許文献】
【０００３】
【非特許文献１】“ウィキペディア”、［online］、［平成23年7月1日検索］、インターネット〈URL：http://ja.wikipedia.org/wiki/WiMAX〉
【非特許文献２】“ウィキペディア”、［online］、［平成23年7月1日検索］、インターネット〈URL：http://ja.wikipedia.org/wiki/Wi-Fi〉
【発明の概要】
【発明が解決しようとする課題】
【０００４】
近年、ＷｉＭＡＸ用のモジュールおよびＷｉＦｉ用のモジュールの両方を搭載したノート型ＰＣ（パーソナルコンピュータ）のようなモバイル機器および通信機器が製品化されている。さらに、そのような機器にはＢｌｕｅｔｏｏｔｈ（登録商標）用のモジュールも搭載されることがある。ＷｉＭＡＸはＷｉＦｉおよびＢｌｕｅｔｏｏｔｈと使用帯域が近いため、このような機器で２つ以上の通信方式を同時使用する場合には、モジュール間での無線信号の干渉が問題となる。
【０００５】
筐体サイズの制約によって、各モジュールに接続されるアンテナを離して配置するのにも限界がある。また、他の通信方式に利用するアンテナに隣接するアンテナと、比較的離れたアンテナとがある場合でも、対象機器の設計によっては、隣接するアンテナにモジュールが接続されるかもしれない。
【０００６】
さらに複数のアンテナを利用する送信選択ダイバーシティでは、受信の状況（被干渉）を見てアンテナが選択される。このため、与干渉を低減することができない。
【０００７】
この発明は、上述の課題を解決するためになされたもので、その目的は、組み込み先の機器に応じて当該機器における他の無線通信への干渉を柔軟に抑制することが可能な無線通信モジュールを提供することである。
【課題を解決するための手段】
【０００８】
上記課題を解決するために、この発明のある局面に係わる無線通信モジュールは、無線通信機能を備える機器に組み込むための無線通信モジュールであって、無線信号を第１方式により送信するための無線送信部と、上記機器が備えるアンテナに上記無線送信部を接続するための複数のアンテナ端子と、上記第１方式と異なる第２方式による無線送信が上記機器で用いられる場合に上記無線送信部を接続しないアンテナ端子を示すアンテナ設定情報を取得するためのアンテナ設定取得部と、上記アンテナ設定取得部によって取得されたアンテナ設定情報に基づいて上記無線送信部を接続する上記アンテナ端子を選択するためのアンテナ選択部とを備える。
【０００９】
このような構成により、組み込み先の機器の設計上、明らかに他の無線通信に干渉を与えるアンテナがある場合には、無線通信モジュール側で当該アンテナを使用しない設定にすることにより、当該機器側の設計変更を行うことなく、確実に干渉を低減することができる。また、アンテナを自動選択する構成と比べて、組み込み先の機器の設計に応じて確実に干渉を低減することができる。また、無線通信モジュールを複数種類の機器に組み込むことを想定した場合、無線通信モジュール側で予めアンテナを選択的に固定する構成により、組み込み先の機器ごとに無線通信モジュールを容易にカスタマイズすることができる。
【００１０】
好ましくは、上記無線通信モジュールは、さらに、上記無線通信モジュールの外部から設定信号を受信するための設定信号受信部を備え、上記アンテナ設定取得部は、上記設定信号から上記アンテナ設定情報を取得する。
【００１１】
このような構成により、無線通信モジュール側で使用アンテナを予め固定することなく、無線通信モジュールの組み込み先の機器の設計に応じて使用アンテナを柔軟に選択することが可能となる。
【００１２】
好ましくは、上記無線通信モジュールは、さらに、上記アンテナ設定情報を記憶するための記憶部を備え、上記アンテナ設定取得部は、上記記憶部から上記アンテナ設定情報を取得する。
【００１３】
このような構成により、無線通信モジュールの組み込み先の機器においてアンテナ設定用の回路等を設けることなく、無線通信モジュール側で使用アンテナを選択することが可能となる。
【００１４】
好ましくは、上記第１方式は、ＷｉＭＡＸ（Worldwide Interoperability for Microwave Access）方式である。
【００１５】
このように、ＷｉＦｉ方式およびＢｌｕｅｔｏｏｔｈ方式等と無線周波数が近く、無線信号の干渉が生じやすいＷｉＭＡＸ方式に適用することにより、本発明の効果をより顕著に得ることができる。
【発明の効果】
【００１６】
本発明によれば、組み込み先の機器に応じて当該機器における他の無線通信への干渉を柔軟に抑制することができる。
【図面の簡単な説明】
【００１７】
【図１】本発明の実施の形態に係る無線通信システムの構成を示す図である。
【図２】本発明の実施の形態に係る無線通信モジュールの構成を示す図である。
【図３】本発明の実施の形態に係る無線通信モジュールにおけるアンテナ設定取得部によるアンテナ設定の取得形態の一例を示す図である。
【図４】本発明の実施の形態に係る無線通信モジュールにおけるアンテナ設定取得部によるアンテナ設定の取得形態の一例を示す図である。
【図５】本発明の実施の形態に係る無線通信モジュールにおけるアンテナ設定取得部によるアンテナ設定の取得形態の一例を示す図である。
【図６】本発明の実施の形態に係る無線通信モジュールにおけるアンテナ設定取得部によるアンテナ設定の取得形態の一例を示す図である。
【図７】本発明の実施の形態に係るモバイル機器における各モジュールおよび各アンテナの配置の一例を示す図である。
【図８】本発明の実施の形態に係るモバイル機器における各モジュールおよび各アンテナの配置の一例を示す図である。
【図９】本発明の実施の形態に係る無線通信モジュールの変形例の構成を示す図である。
【発明を実施するための形態】
【００１８】
以下、本発明の実施の形態について図面を用いて説明する。なお、図中同一または相当部分には同一符号を付してその説明は繰り返さない。
【００１９】
図１は、本発明の実施の形態に係る無線通信システムの構成を示す図である。
【００２０】
図１を参照して、無線通信システム３０１は、モバイル機器２０１と、ＷｉＦｉエンドポイント２０２と、ＷｉＭＡＸ基地局２０３とを備える。モバイル機器２０１は、ＷｉＭＡＸモジュール（無線通信モジュール）１０１と、ホスト１１１と、ＷｉＦｉモジュール１１２と、アンテナ１２１，１２２，１３１とを備える。ＷｉＭＡＸモジュール１０１は、ＷｉＭＡＸチップ５１と、アンテナ選択部５２とを含む。
【００２１】
モバイル機器２０１は、たとえばノートＰＣであり、本実施の形態において、ＷｉＭＡＸ方式に従う無線通信機能およびＷｉＦｉ方式に従う無線通信機能を提供する。
【００２２】
ＷｉＭＡＸモジュール１０１は、モバイル機器２０１に組み込まれる。ＷｉＭＡＸモジュール１０１は、ＷｉＭＡＸ方式に従って通信データの送信および受信を行なう。ＷｉＭＡＸモジュール１０１は、ＷｉＭＡＸシステムにおける端末局である。
【００２３】
ここで、ＷｉＭＡＸでは、ＴＤＤ（時分割複信：Time Division Duplex）方式が採用されている。より詳細には、ＷｉＭＡＸシステムでは、無線端末装置から無線基地局装置へ通信データを送信するための上り送信期間と、無線基地局装置から無線端末装置へ通信データを送信するための下り送信期間とが切り替えられ、交互に繰り返される。
【００２４】
ＷｉＭＡＸモジュール１０１は、アンテナ１２１および１２２経由でＷｉＭＡＸ基地局２０３と無線信号を送受信することにより、ＷｉＭＡＸ基地局２０３と通信を行なうＷｉＭＡＸ端末局として動作する。ＷｉＭＡＸモジュール１０１およびＷｉＭＡＸ基地局２０３により、ＷｉＭＡＸシステムが構成される。
【００２５】
ＷｉＦｉモジュール１１２は、本実施の形態においてモバイル機器２０１に組み込まれる。しかしながら、接続端子を介して着脱可能にモバイル機器２０１に装着されるものであってもよい。ＷｉＦｉモジュール１１２は、ＷｉＦｉ方式に従って通信データの送信および受信を行なう。ＷｉＦｉモジュール１１２は、ＷｉＦｉシステムにおけるアクセスポイントである。ＷｉＦｉでも、ＷｉＭＡＸと同様に、ＴＤＤ方式が採用されている。
【００２６】
ＷｉＦｉモジュール１１２は、アンテナ１３１経由でＷｉＦｉエンドポイント２０２と無線信号を送受信することにより、ＷｉＦｉエンドポイント２０２と通信を行なうＷｉＦｉアクセスポイントとして動作する。ＷｉＦｉモジュール１１２およびＷｉＦｉエンドポイント２０２により、ＷｉＦｉシステムが構成される。
【００２７】
より詳細には、ＷｉＭＡＸモジュール１０１は、ＷｉＭＡＸ基地局２０３から受信した無線信号から通信データを抽出してホスト１１１へ出力する。また、ＷｉＭＡＸモジュール１０１は、ホスト１１１から受けた通信データまたは自ら生成した通信データを無線信号に変換してＷｉＭＡＸ基地局２０３へ送信する。
【００２８】
ＷｉＦｉモジュール１１２は、ＷｉＦｉエンドポイント２０２から受信した無線信号から通信データを抽出してホスト１１１へ出力する。また、ＷｉＦｉモジュール１１２は、ホスト１１１から受けた通信データまたは自ら生成した通信データを無線信号に変換してＷｉＦｉエンドポイント２０２へ送信する。
【００２９】
ホスト１１１は、ＷｉＭＡＸモジュール１０１およびＷｉＦｉモジュール１１２等、モバイル機器２０１における各部を制御する。また、ホスト１１１は、ＷｉＭＡＸモジュール１０１およびＷｉＦｉモジュール１１２から受けた通信データを用いて種々の情報処理を行い、また、種々の情報処理によって生成した通信データをＷｉＭＡＸモジュール１０１およびＷｉＦｉモジュール１１２へ出力する。
【００３０】
図２は、本発明の実施の形態に係る無線通信モジュールの構成を示す図である。
【００３１】
図２を参照して、ＷｉＭＡＸモジュール１０１は、ＷｉＭＡＸチップ（無線送信部）５１と、アンテナ選択部５２と、アンテナ設定取得部５３と、アンテナ端子Ｔ１，Ｔ２とを含む。アンテナ選択部５２は、スイッチ回路６１，６２，６３を含む。
【００３２】
アンテナ端子Ｔ１，Ｔ２は、モバイル機器２０１が備えるアンテナ１２１，１２２にそれぞれ接続される。
【００３３】
ＷｉＭＡＸチップ５１は、ＷｉＭＡＸ方式に従う通信処理を行なう半導体集積回路である。ＷｉＭＡＸチップ５１は、アンテナ端子Ｔ１，Ｔ２を介して無線信号を送受信する。
【００３４】
アンテナ設定取得部５３は、アンテナ１２１，１２２のうち、使用しないアンテナを示すアンテナ設定情報を取得する。言い換えれば、アンテナ設定取得部５３は、ＷｉＭＡＸモジュール１０１の組み込み先の機器が備える複数のアンテナのうち、使用すべき一部のアンテナを示すアンテナ設定情報を取得する。
【００３５】
アンテナ選択部５２は、アンテナ設定取得部５３によって取得されたアンテナ設定情報に基づいて、ＷｉＭＡＸモジュール１０１が備える複数のアンテナ端子の一部を選択し、選択したアンテナ端子とＷｉＭＡＸチップ５１との間の無線信号の伝搬を許容する。具体的には、アンテナ選択部５２は、アンテナ設定取得部５３によって取得されたアンテナ設定情報に基づいてアンテナ端子Ｔ１またはＴ２を選択する。アンテナ選択部５２は、選択したアンテナ端子とＷｉＭＡＸチップ５１とを接続する。
【００３６】
アンテナ選択部５２において、スイッチ回路６２は、ＷｉＭＡＸチップ５１から受けた制御信号に基づいて、スイッチ回路６１とアンテナ端子Ｔ１とを接続するか、ＷｉＭＡＸチップ５１の受信端子ＲＸ０とアンテナ端子Ｔ１とを接続するかを切り替える。
【００３７】
スイッチ回路６３は、ＷｉＭＡＸチップ５１から受けた制御信号に基づいて、スイッチ回路６１とアンテナ端子Ｔ２とを接続するか、ＷｉＭＡＸチップ５１の受信端子ＲＸ１とアンテナ端子Ｔ２とを接続するかを切り替える。
【００３８】
たとえば、ＷｉＭＡＸチップ５１は、下り送信期間において、制御端子ＣＮＴからスイッチ回路６２へ制御信号を出力することにより、ＷｉＭＡＸチップ５１の受信端子ＲＸ０とアンテナ端子Ｔ１とを接続し、制御端子ＣＮＴからスイッチ回路６３へ制御信号を出力することにより、ＷｉＭＡＸチップ５１の受信端子ＲＸ１とアンテナ端子Ｔ２とを接続する。
【００３９】
そして、ＷｉＭＡＸチップ５１は、アンテナ１２１からアンテナ端子Ｔ１経由で受けた無線信号、およびアンテナ１２２からアンテナ端子Ｔ２経由で受けた無線信号に基づいて、各アンテナで受信された無線信号の合成、および／または各アンテナで受信された無線信号を空間多重して受信帯域を広げる等の受信処理を行う。
【００４０】
このように、スイッチ回路６２および６３を設ける構成により、ＷｉＭＡＸチップ５１の送信端子ＴＸから受信端子ＲＸ０およびＲＸ１への下り送信期間におけるノイズの回り込みを抑制することができる。
【００４１】
一方、ＷｉＭＡＸチップ５１は、上り送信期間において、制御端子ＣＮＴからスイッチ回路６２へ制御信号を出力することにより、スイッチ回路６１とアンテナ端子Ｔ１とを接続し、制御端子ＣＮＴからスイッチ回路６３へ制御信号を出力することにより、スイッチ回路６１とアンテナ端子Ｔ２とを接続する。
【００４２】
また、スイッチ回路６１は、アンテナ設定取得部５３によって取得されたアンテナ設定情報に基づいて、ＷｉＭＡＸチップ５１の送信端子ＴＸとスイッチ回路６２とを接続するか、送信端子ＴＸとスイッチ回路６３とを接続するかを切り替える。言い換えると、スイッチ回路６１は、送信端子ＴＸを接続しないアンテナ端子を切り替える。
【００４３】
そして、ＷｉＭＡＸチップ５１は、スイッチ回路６１がスイッチ回路６２または６３を介して接続したアンテナ端子Ｔ１またはＴ２へ、送信端子ＴＸから無線信号を出力する。
【００４４】
なお、ＷｉＭＡＸモジュール１０１は、受信端子ＲＸ０およびＲＸ１と送信端子ＴＸとを分離するためのスイッチ回路６２および６３を含まない構成であってもよい。この場合、スイッチ回路６１、受信端子ＲＸ０およびアンテナ端子Ｔ１が直接接続され、また、スイッチ回路６１、受信端子ＲＸ１およびアンテナ端子Ｔ２が直接接続される。
【００４５】
図３は、本発明の実施の形態に係る無線通信モジュールにおけるアンテナ設定取得部によるアンテナ設定の取得形態の一例を示す図である。
【００４６】
図３を参照して、ＷｉＭＡＸモジュール１０１は、さらに、設定信号受信部５４を含む。
【００４７】
設定信号受信部５４は、ＷｉＭＡＸモジュール５１の外部から設定信号を受信する。アンテナ設定取得部５３は、設定信号受信部５４が受信した設定信号からアンテナ設定情報を取得する。アンテナ設定情報は、ここでは、ＷｉＦｉ方式による無線送信がモバイル機器２０１で用いられる場合にＷｉＭＡＸチップ５１の送信端子ＴＸを接続しないアンテナ端子を示す情報である。図２の例のように送信端子ＴＸを接続するアンテナ端子が２つから択一的に選択される場合、この情報は、送信端子ＴＸを接続するアンテナ端子がいずれかを示すことにもなる。
【００４８】
より詳細には、モバイル機器２０１におけるホスト１１１は、ＷｉＦｉモジュール１１２がモバイル機器２０１に組み込まれているか否か、あるいはＷｉＦｉモジュール１１２による無線通信が行われないような設定がモバイル機器２０１に対してなされているか否かを示す情報を取得する。そして、ホスト１１１は、この情報に基づいて、ＷｉＭＡＸモジュール１０１が使用すべきアンテナを示す設定信号をＷｉＭＡＸモジュール１０１へ出力する。
【００４９】
ＷｉＭＡＸモジュール１０１における設定信号受信部５４は、ホスト１１１から設定信号を受信して、アンテナ設定取得部５３へ出力する。
【００５０】
アンテナ設定取得部５３は、設定信号受信部５４から受けた設定信号からアンテナ設定情報を抽出する。そして、アンテナ選択部５２は、アンテナ設定取得部５３によって抽出されたアンテナ設定情報に基づいて、使用アンテナを選択する。
【００５１】
具体的には、たとえば、アンテナ設定取得部５３は、スイッチ回路６１の制御端子Ｃ０へ論理ローレベルの信号を出力し、制御端子Ｃ１へ論理ハイレベルの信号を出力する。これにより、アンテナ選択部５２は、送信端子ＴＸとスイッチ回路６２とを接続する。その結果、送信端子ＴＸとアンテナ端子Ｔ１とが接続される。あるいは、アンテナ設定取得部５３が、スイッチ回路６１の制御端子Ｃ０へ論理ハイレベルの信号を出力し、制御端子Ｃ１へ論理ローレベルの信号を出力することにより、アンテナ選択部５２は、送信端子ＴＸとスイッチ回路６３とを接続する。これにより、送信端子ＴＸとアンテナ端子Ｔ２とが接続される。
【００５２】
なお、スイッチ回路６１は、２つの制御端子を有する構成に限らず、１つの制御端子、または３つ以上の制御端子を有する構成であってもよい。
【００５３】
また、ホスト１１１が設定信号をＷｉＭＡＸモジュール１０１へ出力する構成に限らず、たとえばＷｉＭＡＸモジュール１０１の干渉相手となるＷｉＦｉモジュール１１２が、ホスト１１１を経由せずに設定信号をＷｉＭＡＸモジュール１０１へ直接出力する構成であってもよい。
【００５４】
図４は、本発明の実施の形態に係る無線通信モジュールにおけるアンテナ設定取得部によるアンテナ設定の取得形態の一例を示す図である。
【００５５】
図４を参照して、ＷｉＭＡＸモジュール１０１は、さらに、設定信号受信部５４を含む。設定信号受信部５４は、設定端子Ｔ３，Ｔ４を含む。モバイル機器２０１は、抵抗Ｒ１，Ｒ２を備える。
【００５６】
抵抗Ｒ１は、第１端が接地電圧の供給されるノードに接続され、第２端が設定端子Ｔ３に接続されている。抵抗Ｒ２は、第１端がたとえば３．３Ｖの電圧の供給されるノードに接続され、第２端が設定端子Ｔ４に接続されている。
【００５７】
これにより、アンテナ設定取得部５３は、設定端子Ｔ３を介して論理ローレベルの信号を受け、設定端子Ｔ４を介して論理ハイレベルの信号を受ける。
【００５８】
この場合、たとえば、アンテナ設定取得部５３は、スイッチ回路６１の制御端子Ｃ０へ論理ローレベルの信号を出力し、制御端子Ｃ１へ論理ハイレベルの信号を出力する。これにより、アンテナ選択部５２は、送信端子ＴＸとスイッチ回路６２とを接続する。
【００５９】
なお、抵抗Ｒ１，Ｒ２を用いる構成に限らず、たとえばディップスイッチによって設定端子Ｔ３およびＴ４に論理信号が与えられる構成であってもよい。
【００６０】
図５は、本発明の実施の形態に係る無線通信モジュールにおけるアンテナ設定取得部によるアンテナ設定の取得形態の一例を示す図である。
【００６１】
図５を参照して、ＷｉＭＡＸモジュール１０１は、さらに、記憶部５５を含む。記憶部５５は、たとえばフラッシュメモリであり、アンテナ設定情報を不揮発的に記憶する。
【００６２】
アンテナ設定取得部５３は、記憶部５５からアンテナ設定情報を読み出して取得する。そして、アンテナ選択部５２は、アンテナ設定取得部５３によって取得されたアンテナ設定に基づいて、使用アンテナを選択する。
【００６３】
図６は、本発明の実施の形態に係る無線通信モジュールにおけるアンテナ設定取得部によるアンテナ設定の取得形態の一例を示す図である。
【００６４】
図６を参照して、ＷｉＭＡＸモジュール１０１は、さらに、記憶部５５を含む。記憶部５５は、抵抗Ｒ１，Ｒ２を含む。
【００６５】
抵抗Ｒ１は、第１端が接地電圧の供給されるノードに接続され、第２端がアンテナ設定取得部５３に接続されている。抵抗Ｒ２は、第１端がたとえば３．３Ｖの電圧の供給されるノードに接続され、第２端がアンテナ設定取得部５３に接続されている。
【００６６】
抵抗Ｒ１，Ｒ２により、アンテナ設定取得部５３は、たとえば、スイッチ回路６１の制御端子Ｃ０へ論理ローレベルの信号を出力し、制御端子Ｃ１へ論理ハイレベルの信号を出力することにより、送信端子ＴＸとスイッチ回路６２とを接続する。
【００６７】
なお、記憶部５５として抵抗Ｒ１，Ｒ２を用いる構成に限らず、たとえば記憶部５５としてディップスイッチを用い、アンテナ設定取得部５３に各論理信号が与えられる構成であってもよい。
【００６８】
図７は、本発明の実施の形態に係るモバイル機器における各モジュールおよび各アンテナの配置の一例を示す図である。図７は、モバイル機器２０１であるノート型ＰＣのキーボード側の配置を概念的に示している。
【００６９】
図７を参照して、モバイル機器２０１では、ＷｉＭＡＸモジュール１０１およびＷｉＦｉモジュール１１２が組み込まれ、ＷｉＭＡＸモジュール１０１用のアンテナ１２１が、ＷｉＦｉモジュール１１２用のアンテナ１３１の近傍に配置されている。また、ＷｉＭＡＸモジュール１０１用のアンテナ１２２は、ＷｉＦｉモジュール１１２用のアンテナ１３１から離れて配置されている。
【００７０】
このように複数の無線通信モジュールが組み込まれる機器では、各無線通信モジュール間の干渉が少なくなるように設計するのが理想的である。しかしながら、現実には筐体内の空きスペースにアンテナが押し込まれることが想定され、図７に示す例のように、ＷｉＭＡＸモジュール１０１からの無線信号を送信するのに望ましいアンテナ１２２と望ましくないアンテナ１２１ができる可能性がある。
【００７１】
その一方で、現状のＷｉＭＡＸ端末局では、無線信号の送信ポートが所定のポートに固定されている構成、あるいは送信選択ダイバーシティによって適応的に送信ポートを決定する構成の２通りしかない。
【００７２】
前者では、干渉源となるアンテナに送信ポートが結線される可能性があり、その結果、組み込み先の機器あるいはＷｉＭＡＸモジュールのハードウェア設計変更が必要となってしまう。
【００７３】
また、後者では、たとえば無線信号の受信環境すなわち被干渉状態に基づいて送信ポートを決定し、与干渉状態を決定することになるため、与干渉を低減できない場合がある。
【００７４】
これに対して、ＷｉＭＡＸモジュール１０１では、使用アンテナを固定的に決定するとともに、その固定的に使用するアンテナを選択することが可能である。
【００７５】
図７に示す例では、ＷｉＭＡＸモジュール１０１が無線送信に用いるアンテナとして、少なくともＷｉＦｉモジュール１１２がＯＮの状態（無線送信可能な状態）であるときには、アンテナ１２２が選択される。ＷｉＦｉモジュール１１２がＯＦＦの状態であるときにも、ＷｉＭＡＸモジュール１０１はアンテナ１２２を用いて無線送信する、すなわちアンテナ１２１を用いずに無線送信するようにしてもよい。さらにＷｉＭＡＸモジュール１０１は、無線送信のためにアンテナ１２２を使用しているとき、すなわち無線送信のためにアンテナ１２１を使用していないときも、無線受信のためアンテナ１２１を使用してもよい。
【００７６】
ＷｉＭＡＸモジュール１０１では、ＷｉＦｉモジュール１１２を搭載する機器ではアンテナ１２２を使用し、ＷｉＦｉモジュール１１２を搭載しない機器ではアンテナ１２１を使用する、というようなフレキシブルな設定も可能となる。また、ＷｉＦｉモジュール１１２がモバイル機器２０１に搭載されていたり、そのＷｉＦｉモジュール１１２がＯＮの状態であったりする場合のようにＷｉＦｉモジュール１１２による無線送信が行なわれる可能性があるときには、ＷｉＦｉモジュール１１２が接続されたアンテナ１３１と近いアンテナ１２１をＷｉＭＡＸモジュール１０１は無線送信に使用しない。したがって、送信選択ダイバーシティを採用する構成と比べて、与干渉を確実に低減することができる。ＷｉＦｉモジュール１１２がモバイル機器２０１に搭載されなかったり、ＷｉＦｉモジュール１１２がＯＦＦの状態であったりする場合のようにＷｉＦｉモジュール１１２による無線通信が行なわれないときには、ＷｉＭＡＸモジュール１０１が、無線送信のためアンテナ１２１を使用することができる。
【００７７】
また、たとえば図３に示す例のように使用アンテナをソフトウェアによって設定する場合には、ＷｉＭＡＸモジュール１０１の送信ポートを組み込み先の機器に初めから合わせる必要がなく、ソフトウェアによって後から接続を設定することができるため、ハードウェアによるカスタマイズが不要になる。
【００７８】
なお、アンテナ設定取得部５３は、ＷｉＭＡＸチップ５１の外部に設けられる構成に限らず、ＷｉＭＡＸチップ５１の内部に設けられてもよい。たとえば、図５に示す例において、アンテナ設定取得部５３および記憶部５５を、ＷｉＭＡＸチップ５１の内部に設けることも可能である。
【００７９】
図８は、本発明の実施の形態に係る無線通信モジュールの変形例の構成を示す図である。以下で説明する内容以外は図２に示すＷｉＭＡＸモジュール１０１と同様である。
【００８０】
図８を参照して、ＷｉＭＡＸモジュール１０１は、ＷｉＭＡＸチップ７１と、アンテナ選択部７２と、アンテナ設定取得部５３と、アンテナ端子Ｔ１，Ｔ２とを含む。アンテナ選択部７２は、スイッチ回路６２，６３，６４，６５を含む。
【００８１】
スイッチ回路６４は、アンテナ設定取得部５３によって取得されたアンテナ設定情報に基づいて、ＷｉＭＡＸチップ７１の送信端子ＴＸ０とスイッチ回路６２とを接続するか否かを切り替える。
【００８２】
スイッチ回路６５は、アンテナ設定取得部５３によって取得されたアンテナ設定情報に基づいて、ＷｉＭＡＸチップ７１の送信端子ＴＸ１とスイッチ回路６３とを接続するか否かを切り替える。
【００８３】
上り送信期間において、スイッチ回路６４が送信端子ＴＸ０とスイッチ回路６２とを接続した場合には、送信端子ＴＸ０から出力された無線信号は、アンテナ端子Ｔ１へ出力される。また、上り送信期間において、スイッチ回路６５が送信端子ＴＸ１とスイッチ回路６３とを接続した場合には、送信端子ＴＸ１から出力された無線信号は、アンテナ端子Ｔ２へ出力される。
【００８４】
ここで、アンテナ設定取得部５３は、さらに、使用するアンテナを切り替える自動選択動作を示すアンテナ設定情報を取得する。
【００８５】
アンテナ選択部７２は、アンテナ設定取得部５３によって自動選択動作を示すアンテナ設定情報が取得された場合には、ＷｉＭＡＸチップ７１の制御に従ってアンテナ端子の選択を切り替える。
【００８６】
たとえば、ホスト１１１は、ＷｉＦｉモジュール１１２がモバイル機器２０１に組み込まれていない場合またはＷｉＦｉモジュール１１２がＯＦＦ状態の場合には、自動選択動作を示す設定信号をアンテナ設定取得部５３へ出力し、ＷｉＦｉモジュール１１２がモバイル機器２０１に組み込まれている場合またはＷｉＦｉモジュール１１２がＯＮ状態の場合には、ＷｉＭＡＸモジュール１０１が使用すべきアンテナを示す設定信号をアンテナ設定取得部５３へ出力する。
【００８７】
アンテナ設定取得部５３によって自動選択動作を示すアンテナ設定情報が取得された場合、スイッチ回路６４は、送信端子ＴＸ０とスイッチ回路６２とを接続し、また、スイッチ回路６５は、送信端子ＴＸ１とスイッチ回路６３とを接続する。
【００８８】
また、アンテナ設定取得部５３によってアンテナ１２１を使用する設定が取得された場合、スイッチ回路６４は、送信端子ＴＸ０とスイッチ回路６２とを接続し、また、スイッチ回路６５は、送信端子ＴＸ１とスイッチ回路６３とを非接続とする。
【００８９】
また、アンテナ設定取得部５３によってアンテナ１２２を使用する設定が取得された場合、スイッチ回路６４は、送信端子ＴＸ０とスイッチ回路６２とを非接続とし、また、スイッチ回路６５は、送信端子ＴＸ１とスイッチ回路６３とを接続する。
【００９０】
たとえば、ＷｉＭＡＸチップ７１は、送信端子ＴＸ０およびＴＸ１へ同じ無線信号を送信する場合には、アンテナ設定取得部５３によるスイッチ回路６４，６５のオン設定に優先して、アンテナ１２１およびアンテナ１２２の一方を適応的に選択する。すなわち、ＷｉＭＡＸチップ７１は、たとえば下り送信期間においてアンテナ１２１およびアンテナ１２２から受信した無線信号のうち、受信品質の良かった方に対応するアンテナを、次の上り送信期間において無線信号の送信に使用する。あるいは、ＷｉＭＡＸチップ７１は、複数の下り送信期間にわたってアンテナ１２１およびアンテナ１２２の受信電波強度をそれぞれ平均し、比較することにより、アンテナを選択してもよい。
【００９１】
具体的には、ＷｉＭＡＸチップ７１は、アンテナ１２１を使用する場合には、スイッチ回路６４を制御することにより、無線信号を送信端子ＴＸ０へ出力し、また、スイッチ回路６５を制御することにより、無線信号の送信端子ＴＸ１への出力を停止する。
【００９２】
また、ＷｉＭＡＸチップ７１は、アンテナ１２２を使用する場合には、スイッチ回路６４を制御することにより、無線信号の送信端子ＴＸ０への出力を停止し、また、スイッチ回路６５を制御することにより、無線信号を送信端子ＴＸ１へ出力する。
【００９３】
また、たとえば、ＷｉＭＡＸチップ７１は、送信端子ＴＸ０およびＴＸ１へ位相等が異なる無線信号を送信する場合には、アンテナ１２１およびアンテナ１２２の両方を選択する。具体的には、ＷｉＭＡＸチップ７１は、送信端子ＴＸ０からスイッチ回路６４へ無線信号を出力し、送信端子ＴＸ１からスイッチ回路６５へ無線信号を出力する。
【００９４】
モバイル機器２０１においてＷｉＦｉモジュール１１２が搭載されない場合には、機器内の他の無線通信への与干渉の可能性がなくなる。すなわち、ＷｉＭＡＸモジュール１０１では、アンテナの自動選択を可能とする構成により、通信環境に応じた適切なアンテナ選択が可能となる。
【００９５】
図９は、本発明の実施の形態に係る無線通信モジュールの変形例の構成を示す図である。以下で説明する内容以外は図２に示すＷｉＭＡＸモジュール１０１と同様である。
【００９６】
図９を参照して、ＷｉＭＡＸモジュール１０１は、ＷｉＭＡＸチップ８１と、アンテナ選択部８２と、アンテナ設定取得部５３と、アンテナ端子Ｔ１，Ｔ２とを含む。アンテナ選択部８２は、スイッチ回路６２，６３，６４，６５を含む。スイッチ回路６４，６５は、ＷｉＭＡＸチップ８１内に設けられる。
【００９７】
スイッチ回路６４は、アンテナ設定取得部５３によって取得されたアンテナ設定情報に基づいて、ＷｉＭＡＸチップ８１内で生成された無線信号を送信端子ＴＸ０へ出力するか否かを切り替える。
【００９８】
スイッチ回路６５は、アンテナ設定取得部５３によって取得されたアンテナ設定情報に基づいて、ＷｉＭＡＸチップ８１内で生成された無線信号を送信端子ＴＸ１へ出力するか否かを切り替える。
【００９９】
そして、スイッチ回路６４が無線信号を送信端子ＴＸ０へ出力した場合には、送信端子ＴＸ０から出力された無線信号は、スイッチ回路６２を介してアンテナ端子Ｔ１へ出力される。また、スイッチ回路６５が無線信号を送信端子ＴＸ１へ出力した場合には、送信端子ＴＸ１から出力された無線信号は、スイッチ回路６３を介してアンテナ端子Ｔ２へ出力される。
【０１００】
ここで、アンテナ設定取得部５３は、さらに、使用するアンテナを切り替える自動選択動作を示すアンテナ設定情報を取得する。
【０１０１】
アンテナ選択部８２は、アンテナ設定取得部５３によって自動選択動作を示すアンテナ設定情報が取得された場合には、ＷｉＭＡＸチップ８１の制御に従ってアンテナ端子の選択を切り替える。
【０１０２】
たとえば、ホスト１１１は、ＷｉＦｉモジュール１１２がモバイル機器２０１に組み込まれていない場合には、自動選択動作を示す設定信号をアンテナ設定取得部５３へ出力し、ＷｉＦｉモジュール１１２がモバイル機器２０１に組み込まれている場合には、ＷｉＭＡＸモジュール１０１が使用すべきアンテナを示す設定信号をアンテナ設定取得部５３へ出力する。
【０１０３】
アンテナ設定取得部５３によって自動選択動作を示すアンテナ設定情報が取得された場合、スイッチ回路６４は、ＷｉＭＡＸチップ８１内で生成された無線信号を送信端子ＴＸ０へ出力し、また、スイッチ回路６５は、ＷｉＭＡＸチップ８１内で生成された無線信号を送信端子ＴＸ１へ出力する。
【０１０４】
また、アンテナ設定取得部５３によってアンテナ１２１を使用する設定が取得された場合、スイッチ回路６４は、ＷｉＭＡＸチップ８１内で生成された無線信号を送信端子ＴＸ０へ出力し、また、スイッチ回路６５は、ＷｉＭＡＸチップ８１内で生成された無線信号の送信端子ＴＸ１への出力を停止する。
【０１０５】
また、アンテナ設定取得部５３によってアンテナ１２２を使用する設定が取得された場合、スイッチ回路６４は、ＷｉＭＡＸチップ８１内で生成された無線信号を送信端子ＴＸ０への出力を停止し、また、スイッチ回路６５は、ＷｉＭＡＸチップ８１内で生成された無線信号を送信端子ＴＸ１へ出力する。
【０１０６】
たとえば、ＷｉＭＡＸチップ８１は、送信端子ＴＸ０およびＴＸ１へ同じ無線信号を送信する場合には、アンテナ設定取得部５３によるスイッチ回路６４，６５のオン設定に優先して、アンテナ１２１およびアンテナ１２２の一方を適応的に選択する。すなわち、ＷｉＭＡＸチップ８１は、たとえば下り送信期間においてアンテナ１２１およびアンテナ１２２から受信した無線信号のうち、受信品質の良かった方に対応するアンテナを、次の上り送信期間において無線信号の送信に使用する。
【０１０７】
具体的には、ＷｉＭＡＸチップ８１は、アンテナ１２１を使用する場合には、スイッチ回路６４を制御することにより、送信端子ＴＸ０とスイッチ回路６２とを接続し、また、スイッチ回路６５を制御することにより、送信端子ＴＸ０とスイッチ回路６３とを非接続とする。あるいは、ＷｉＭＡＸチップ８１は、アンテナ１２１を使用する場合には、スイッチ回路６４へ無線信号を出力し、スイッチ回路６５への無線信号の出力を停止する。
【０１０８】
また、ＷｉＭＡＸチップ８１は、アンテナ１２２を使用する場合には、スイッチ回路６４を制御することにより、送信端子ＴＸ０とスイッチ回路６２とを非接続とし、また、スイッチ回路６５を制御することにより、送信端子ＴＸ１とスイッチ回路６３とを接続する。あるいは、ＷｉＭＡＸチップ８１は、アンテナ１２１を使用する場合には、スイッチ回路６４への無線信号の出力を停止し、スイッチ回路６５へ無線信号を出力する。
【０１０９】
また、たとえば、ＷｉＭＡＸチップ８１は、送信端子ＴＸ０およびＴＸ１へ位相等が異なる無線信号を送信する場合には、アンテナ１２１およびアンテナ１２２の両方を選択する。
【０１１０】
具体的には、ＷｉＭＡＸチップ８１は、スイッチ回路６４を制御することにより、送信端子ＴＸ０とスイッチ回路６２とを接続し、また、スイッチ回路６５を制御することにより、送信端子ＴＸ１とスイッチ回路６３とを接続する。そして、ＷｉＭＡＸチップ８１は、スイッチ回路６４および６５へ無線信号を出力する。
【０１１１】
モバイル機器２０１においてＷｉＦｉモジュール１１２が搭載されない場合には、機器内の他の無線通信への与干渉の可能性がなくなる。すなわち、ＷｉＭＡＸモジュール１０１では、アンテナの自動選択を可能とする構成により、通信環境に応じた適切なアンテナ選択が可能となる。
【０１１２】
なお、図９に示すＷｉＭＡＸモジュール１０１のようにスイッチ回路６４，６５をＷｉＭＡＸチップ８１内に設ける構成に限らず、たとえば、無線信号を出力するか否かを切り替える代わりに、ＷｉＭＡＸチップ８１において、通信データをアナログ信号に変換するためのＤ／Ａコンバータへ当該通信データを入力するか否かを切り替える構成であってもよい。
【０１１３】
ところで、ＷｉＭＡＸ用のモジュールおよびＷｉＦｉ用のモジュールの両方を搭載したノート型ＰＣ等のモバイル機器では、ＷｉＭＡＸおよびＷｉＦｉにおいて用いられる無線信号の周波数が近いことから、各モジュール間での無線信号の干渉が問題となる。ある通信方式の無線通信モジュールが、同じ機器に組み込まれる他の通信方式の無線通信モジュールへ与える干渉を抑制することが重要である。
【０１１４】
また、複数の送信アンテナの中から使用する送信アンテナを選択する方法としては、予めひとつのアンテナに固定する方法、および適切なアンテナを自動選択する方法が考えられる。送信アンテナを切り替え可能とし、送信アンテナを自動選択する機能を実装すれば、適応的なアンテナ選択が可能となる。このため、送信アンテナを切り替え可能な構成を実装した上で、送信アンテナをあえて固定化するという発想は無かったものと考えられる。また、アンテナの自動選択では、組み込み先の機器のアンテナ配置等によっては、不適切なアンテナが誤って選択されてしまう可能性もある。
【０１１５】
これに対して、本発明の実施の形態に係る無線通信モジュールでは、ＷｉＭＡＸチップ５１は、無線信号をＷｉＭＡＸ方式により送信する。アンテナ設定取得部５３は、ＷｉＭＡＸ方式と異なる通信方式による無線送信が機器で用いられる場合にＷｉＭＡＸチップ５１を接続しないアンテナ端子を示すアンテナ設定情報を取得する。そして、アンテナ選択部５２は、アンテナ設定取得部５３によって取得されたアンテナ設定情報に基づいてＷｉＭＡＸチップ５１を接続するアンテナ端子を選択する。
【０１１６】
すなわち、無線通信モジュール用の複数のアンテナのどれを使用するかをソフトウェア設定またはハードウェア設定によって切り替えられるようにして、組み込み先の機器の設計上、与干渉が小さいことが既知のアンテナのみを使用して無線信号を送信する。
【０１１７】
このような構成により、組み込み先の機器の設計上、明らかに他の無線通信に干渉を与えるアンテナがある場合には、無線通信モジュール側で当該アンテナを使用しない設定にすることにより、当該機器側の設計変更を行うことなく、確実に干渉を低減することができる。また、アンテナを自動選択する構成と比べて、組み込み先の機器の設計に応じて確実に干渉を低減することができる。
【０１１８】
また、無線通信モジュールを複数種類の機器に組み込むことを想定した場合、無線通信モジュール側で予めアンテナを選択的に固定する構成により、組み込み先の機器ごとに無線通信モジュールを容易にカスタマイズすることができる。
【０１１９】
また、本発明の実施の形態に係る無線通信モジュールでは、アンテナ設定取得部５３は、さらに、使用するアンテナを切り替える自動選択動作を示すアンテナ設定情報を取得する。そして、アンテナ選択部７２は、アンテナ設定取得部５３によって自動選択動作を示すアンテナ設定情報が取得された場合には、ＷｉＭＡＸチップ７１の制御に従ってアンテナ端子の選択を切り替える。
【０１２０】
このような構成により、組み込み先の機器の使用条件、例えば無線ＬＡＮおよびＢｌｕｅｔｏｏｔｈ等の他の無線通信モジュールとＷｉＭＡＸモジュールとの併用の有無等によって使用アンテナを固定するか、使用アンテナを通信環境に応じて自動選択するかを切り替えることができる。すなわち、使用アンテナを固定する方が良い機器と固定しない方が良い機器の両方で、使用アンテナの選択を適切に行うことができる。
【０１２１】
また、本発明の実施の形態に係る無線通信モジュールでは、設定信号受信部５４は、ＷｉＭＡＸモジュール５１の外部から設定信号を受信する。そして、アンテナ設定取得部５３は、設定信号受信部５４が受信した設定信号からアンテナ設定情報を取得する。
【０１２２】
このような構成により、無線通信モジュール側で使用アンテナを予め固定することなく、無線通信モジュールの組み込み先の機器の設計に応じて使用アンテナを柔軟に選択することが可能となる。
【０１２３】
また、本発明の実施の形態に係る無線通信モジュールでは、記憶部５５は、アンテナ設定情報を記憶する。そして、アンテナ設定取得部５３は、記憶部５５からアンテナ設定情報を取得する。
【０１２４】
このような構成により、無線通信モジュールの組み込み先の機器においてアンテナ設定用の回路等を設けることなく、無線通信モジュール側で使用アンテナを選択することが可能となる。
【０１２５】
また、本発明の実施の形態に係る無線通信モジュールでは、ＷｉＭＡＸチップ５１は、ＷｉＭＡＸ方式に従って無線信号を送受信する。
【０１２６】
このように、ＷｉＦｉ方式およびＢｌｕｅｔｏｏｔｈ方式等と無線周波数が近く、無線信号の干渉が生じやすいＷｉＭＡＸ方式に適用することにより、本発明の効果をより顕著に得ることができる。
【０１２７】
なお、本発明の実施の形態に係る無線通信モジュールでは、無線信号の送信において使用しないアンテナを示すアンテナ設定情報を取得し、使用アンテナの選択を行うことにより与干渉を低減する構成であるとしたが、これに限定するものではない。無線信号の受信において使用しないアンテナを示すアンテナ設定情報を取得し、使用アンテナの選択を行うことにより被干渉を低減する構成であってもよい。すなわち、アンテナ設定取得部５３は、アンテナ１２１，１２２のうち、無線信号の送信、受信または送受信で使用しないアンテナを示すアンテナ設定情報を取得する構成であればよい。
【０１２８】
また、本発明の実施の形態に係る無線通信モジュールでは、２本のアンテナを選択候補とする構成であるとしたが、これに限定するものではない。３本以上のアンテナを選択候補とする構成であってもよい。この場合、アンテナ選択部５２は、アンテナ設定取得部５３によって取得されたアンテナ設定情報に基づいて、３つ以上のアンテナ端子のうち、１または複数のアンテナ端子を選択する。
【０１２９】
また、本発明の実施の形態に係る無線通信モジュールの通信方式として、ＷｉＭＡＸを例示したが、これに限定するものではない。このような通信方式に限らず、ＬＴＥ（Long Term Evolution）等の他の通信方式に対応する無線通信モジュールであってもよい。
【０１３０】
また、本発明の実施の形態に係るモバイル機器は、ＷｉＭＡＸ以外の通信方式に対応する無線通信モジュールとして、ＷｉＦｉモジュールを例示したが、これに限定するものではない。このような通信方式に限らず、Ｂｌｕｅｔｏｏｔｈ等、本発明の実施の形態に係る無線通信モジュールの無線信号によって干渉を受ける可能性のある通信方式であれば、どんなものでもよい。
【０１３１】
また、無線通信モジュール１０１の組み込み先の機器であるモバイル機器２０１は、２つの通信方式に従う無線通信機能を提供する構成であるとしたが、これに限定するものではない。無線通信モジュール１０１の組み込み先の機器は、３つ以上の通信方式に従う無線通信機能を提供する構成であってもよいし、無線通信モジュール１０１による無線通信機能のみを提供する構成であってもよい。
【０１３２】
また、本発明の実施の形態に係る無線通信モジュールの組み込み先の機器はモバイル機器であるとしたが、これに限定するものではない。ＷｉＦｉルータとＷｉＭＡＸ端末局とを組み合わせた機器等、据え置き型の機器に組み込まれてもよい。
【０１３３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１３４】
５１，７１，８１  ＷｉＭＡＸチップ（無線送信部）
５２  アンテナ選択部
５３  アンテナ設定取得部
５４  設定信号受信部
５５  記憶部
６１，６２，６３，６４，６５  スイッチ回路
７２  アンテナ選択部
８２  アンテナ選択部
１０１  ＷｉＭＡＸモジュール（無線通信モジュール）
１１１  ホスト
１１２  ＷｉＦｉモジュール
１２１，１２２，１３１  アンテナ
２０１  モバイル機器
２０２  ＷｉＦｉエンドポイント
２０３  ＷｉＭＡＸ基地局
３０１  無線通信システム
Ｒ１，Ｒ２  抵抗
Ｔ１，Ｔ２  アンテナ端子
Ｔ３，Ｔ４  設定端子
【図１】
2013042462.tif 000003
【図２】
2013042462.tif 000004
【図３】
2013042462.tif 000005
【図４】
2013042462.tif 000006
【図５】
2013042462.tif 000007
【図６】
2013042462.tif 000008
【図７】
2013042462.tif 000009
【図８】
2013042462.tif 000010
【図９】
2013042462.tif 000011